(57)【要約】【課題】複雑な処理を要することなく個々のユーザに適した食事管理を行なうことのできる管理装置を提供する。【解決手段】食事情報を管理するための管理システム１に含まれる管理装置１００は、ユーザの食事情報をカメラ３００から日時と共に入力し、体重を体重計２００から日時と共に入力し、食事情報と体重とを処理するための処理を実行してその結果を表示装置５００で出力する。その処理としては、管理装置１００は、たとえば１日である単位期間の食事情報と単位期間のユーザの体重変化とを関連付けて記憶装置に記憶し、単位期間のユーザの体重変化に応じて、当該体重変化に関連付けて記憶装置に記憶された食事情報に基づく食事内容を出力する。【選択図】図１
2012168857.tif 000002
【特許請求の範囲】
【請求項１】
食事情報を管理するための管理装置であって、
ユーザの食事情報と体重とを日時と共に入力するための入力手段と、
前記食事情報と前記体重とを処理するための処理手段と、
前記処理手段で処理された情報を出力するための出力手段とを備え、
前記処理手段は、
単位期間の前記食事情報と前記単位期間の前記ユーザの体重変化とを関連付けて記憶装置に記憶する処理と、
前記単位期間の前記ユーザの体重変化に応じて、当該体重変化に関連付けて前記記憶装置に記憶された前記食事情報に基づく食事内容を出力する処理とを実行する、管理装置。
【請求項２】
前記単位期間は一日であって、
前記処理手段は、前記食事内容を出力する処理で、しきい値よりも大きい一日の前記ユーザの体重変化と関連付けられた前記食事情報を第１の食事情報、および、前記しきい値よりも小さい一日の前記ユーザの体重変化と関連付けられた前記食事情報を第２の食事情報に分類し、前記第１の食事情報および前記第２の食事情報のそれぞれに基づく食事内容を、前記第１の食事情報および前記第２の食事情報の別と共に出力する、請求項１に記載の管理装置。
【請求項３】
前記処理手段は、所定期間の前記ユーザの体重変化を用いて前記しきい値を算出する、請求項２に記載の管理装置。
【請求項４】
前記食事情報は、当該食事を撮影して得られる撮影画像を含み、前記処理手段は、前記撮影画像に基づく画像を前記食事内容として出力する処理を実行する、請求項１〜３のいずれかに記載の管理装置。
【請求項５】
食事情報を管理するための管理装置であって、
ユーザの食事情報と体重とを日時と共に入力するための第１の入力手段と、
食事内容を入力するための第２の入力手段と、
前記食事情報と前記体重とを処理するための処理手段と、
前記処理手段で処理された情報を出力するための出力手段とを備え、
前記処理手段は、
単位期間の前記食事情報と前記単位期間の前記ユーザの体重変化とを関連付けて記憶装置に記憶する処理と、
前記入力された食事内容と対応した食事情報と関連付けて前記記憶装置に記憶された前記単位期間の前記ユーザの体重変化を体重変化の推定値として出力する処理とを実行する、管理装置。
【請求項６】
食事情報を管理するための管理システムであって、
食事内容を日時と共に入力するための第１の入力装置と、
体重を日時と共に入力するための第２の入力装置と、
前記食事情報と前記体重とを処理するための管理装置と、
表示装置とを備え、
前記管理装置は、
単位期間の前記食事情報と前記単位期間の前記ユーザの体重変化とを関連付けて記憶装置に記憶する処理と、
前記単位期間の前記ユーザの体重変化に応じて、当該体重変化に関連付けて前記記憶装置に記憶された前記食事情報に基づく食事内容を表示させるための表示データを前記表示装置に出力する処理とを実行する、管理システム。
【請求項７】
管理装置と表示装置とを含む、食事情報を管理するための管理システムにおける前記食事情報の表示方法であって、
ユーザの食事情報と体重とを日時と共に入力するステップと、
単位期間の前記ユーザの体重変化に基づき、前記単位期間の食事情報を、前記体重変化がしきい値よりも大きい第１の食事情報および前記しきい値よりも小さい第２の食事情報に分類するステップと、
前記単位期間の食事情報を、前記第１の食事情報または前記第２の食事情報の別と共に表示するステップとを備える、管理システムでの食事情報の表示方法。
【発明の詳細な説明】
【技術分野】
【０００１】
この発明は管理装置、管理システム、および管理システムでの表示方法に関し、特に、食事内容を管理する管理装置、管理システム、および当該管理システムでの表示方法に関する。
【背景技術】
【０００２】
従来の食事管理システムとして、たとえば特開２００３−６７４９７号公報（以下、特許文献１）は、サーバにおいて食事内容を画像データとして取得し、該画像データを分析して改善のアドバイス等を提示するシステムを開示している。
【先行技術文献】
【特許文献】
【０００３】
【特許文献１】特開２００３−６７４９７号公報
【発明の概要】
【発明が解決しようとする課題】
【０００４】
しかしながら、特許文献１に開示されているような従来の食事管理システムでは、画像データに基づいた栄養量や栄養バランスなどの判断は、かかる画像を見た管理栄養士などであるアドバイザが行なって入力するもの、または、アドバイザが料理と量とを確定して入力することでサーバが自動的に栄養量、栄養バランスなどを算出するもの、とされており、アドバイザによるかかる判断が必要となる、という問題があった。
【０００５】
また、仮に、アドバイザによる判断を不要とした場合、サーバにおいて画像データを解析して料理と量とを特定し、それに基づいて栄養量、栄養バランスなどを算出するという複雑な処理が必要となる、という問題があった。
【０００６】
さらに、特許文献１に開示されているような従来の食事管理システムでは、一般的な食事指導は得られるものの個々のユーザに対応した食事指導ではないために、ユーザは必ずしも自身の食事管理に適した食事管理を行なうことができない場合もある、という問題もあった。
【０００７】
本発明はこのような問題に鑑みてなされたものであって、複雑な処理を要することなく個々のユーザに適した食事管理を行なうことのできる管理装置、管理システム、および管理システムでの表示方法を提供することを目的としている。
【課題を解決するための手段】
【０００８】
上記目的を達成するために、本発明のある局面に従うと、管理装置は食事情報を管理するための管理装置であって、ユーザの食事情報と体重とを日時と共に入力するための入力手段と、食事情報と体重とを処理するための処理手段と、処理手段で処理された情報を出力するための出力手段とを備える。処理手段は、単位期間の食事情報と単位期間のユーザの体重変化とを関連付けて記憶装置に記憶する処理と、単位期間のユーザの体重変化に応じて、当該体重変化に関連付けて記憶装置に記憶された食事情報に基づく食事内容を出力する処理とを実行する。
【０００９】
好ましくは、単位期間は一日であって、処理手段は、食事内容を出力する処理で、しきい値よりも大きい一日のユーザの体重変化と関連付けられた食事情報を第１の食事情報、および、しきい値よりも小さい一日のユーザの体重変化と関連付けられた食事情報を第２の食事情報に分類し、第１の食事情報および第２の食事情報のそれぞれに基づく食事内容を、第１の食事情報および第２の食事情報の別と共に出力する。
【００１０】
より好ましくは、処理手段は、所定期間のユーザの体重変化を用いてしきい値を算出する。
【００１１】
好ましくは、食事情報は、当該食事を撮影して得られる撮影画像を含み、処理手段は、撮影画像に基づく画像を食事内容として出力する処理を実行する。
【００１２】
本発明の他の局面に従うと、管理装置は食事情報を管理するための管理装置であって、ユーザの食事情報と体重とを日時と共に入力するための第１の入力手段と、食事内容を入力するための第２の入力手段と、食事情報と体重とを処理するための処理手段と、処理手段で処理された情報を出力するための出力手段とを備える。処理手段は、単位期間の食事情報と単位期間のユーザの体重変化とを関連付けて記憶装置に記憶する処理と、入力された食事内容と対応した食事情報と関連付けて記憶装置に記憶された単位期間のユーザの体重変化を体重変化の推定値として出力する処理とを実行する。
【００１３】
本発明のさらに他の局面に従うと、管理システムは食事情報を管理するための管理システムであって、食事内容を日時と共に入力するための第１の入力装置と、体重を日時と共に入力するための第２の入力装置と、食事情報と体重とを処理するための管理装置と、表示装置とを備える。管理装置は、単位期間の食事情報と単位期間のユーザの体重変化とを関連付けて記憶装置に記憶する処理と、単位期間のユーザの体重変化に応じて、当該体重変化に関連付けて記憶装置に記憶された食事情報に基づく食事内容を表示させるための表示データを表示装置に出力する処理とを実行する。
【００１４】
本発明のさらに他の局面に従うと、管理システムでの食事情報の表示方法は管理装置と表示装置とを含む、食事情報を管理するための管理システムにおける食事情報の表示方法であって、ユーザの食事情報と体重とを日時と共に入力するステップと、単位期間のユーザの体重変化に基づき、単位期間の食事情報を、体重変化がしきい値よりも大きい第１の食事情報およびしきい値よりも小さい第２の食事情報に分類するステップと、単位期間の食事情報を、第１の食事情報または第２の食事情報の別と共に表示するステップとを備える。
【発明の効果】
【００１５】
この発明によると、複雑な処理を要することなく個々のユーザにとって太りやすい食事、太りにくい食事を提示することができる。そのため、ユーザごとに適した食事管理を行なうことができる。
【図面の簡単な説明】
【００１６】
【図１】実施の形態にかかる食事情報管理システム（以下、管理システムと略する）の構成の具体例を示す図である。
【図２】管理システムに含まれる体重計の装置構成の具体例を示す図である。
【図３】管理システムに含まれるカメラの装置構成の具体例を示す図である。
【図４】管理システムに含まれる入力装置の装置構成の具体例を示す図である。
【図５】管理システムに含まれる管理装置の装置構成の具体例を示す図である。
【図６】第１の実施の形態にかかる管理システムでの食事情報の管理の流れを説明するための図である。
【図７】第１の実施の形態にかかる管理システムに含まれる管理装置の機能構成の具体例を示すブロック図である。
【図８】第１の実施の形態にかかる管理システムに含まれる管理装置での動作の流れの具体例を表わしたフローチャートである。
【図９】第１の表示例の、第１の具体例を示す図である。
【図１０】第１の表示例の、第２の具体例を示す図である。
【図１１】第２の表示例の具体例を示す図である。
【図１２】第２の実施の形態にかかる管理システムでの食事情報の管理の流れを説明するための図である。
【図１３】第２の実施の形態にかかる管理システムに含まれる管理装置の機能構成の具体例を示すブロック図である。
【図１４】第２データベースに記載される情報の具体例を示す図である。
【図１５】第２の実施の形態にかかる管理システムに含まれる管理装置での動作の流れの具体例を表わしたフローチャートである。
【図１６】第３の実施の形態にかかる管理システムに含まれる管理装置でのの体重変化の予測動作の流れの具体例を表わしたフローチャートである。
【図１７】第３の実施の形態にかかる管理システムに含まれる管理装置でのメニュー提案動作の流れの具体例を表わしたフローチャートである。
【発明を実施するための形態】
【００１７】
以下に、図面を参照しつつ、本発明の実施の形態について説明する。以下の説明では、同一の部品および構成要素には同一の符号を付してある。それらの名称および機能も同じである。
【００１８】
＜システム構成＞
図１は、本実施の形態にかかる食事情報管理システム（以下、管理システムと略する）１の構成の具体例を示す図である。
【００１９】
図１を参照して、管理システム１は、管理装置１００と、管理装置１００に接続された体重計２００、カメラ３００、および入力装置４００と、管理装置１００に接続された表示装置５００とを含む。当該管理システムとして、後述する第１の実施の形態にかかるものを管理システム１Ａ、第２の実施の形態にかかるものを管理システム１Ｂ、および第３の実施の形態にかかるものを管理システム１Ｃと称し、これらを代表させて管理システム１と称する。システム構成は、管理システム１Ａ〜１Ｃで共通である。
【００２０】
管理装置１００は、通信機能を備えた装置であればよく、たとえば、一般的なパーソナルコンピュータなどで構成されるものであってよい。
【００２１】
体重計２００、カメラ３００、入力装置４００、および表示装置５００は、いずれも、管理装置１００と通信可能な通信機能を有する。これらの通信としては、これら装置と管理装置１００とを専用の回線または無線回線で接続して直接通信するものであってもよいし、インターネットを介した通信であってもよい。本例の場合、これら装置はインターネットを介して管理装置１００と通信するものとする。そのため、これら装置の備える通信機能は、インターネットに接続し、インターネット上の管理装置１００のアクセス情報を用いて管理装置１００と通信を行なう機能が該当する。
【００２２】
入力装置４００は、主に、テキストデータの入力を受付け、管理装置１００に対して送信するための機能を有する装置であれば、どのような装置であってもよい。一例として、携帯電話機や一般的なパーソナルコンピュータなどが挙げられる。入力装置４００からインターネットを介して管理装置１００に対してテキストデータを送信する方法の一例として、入力装置４００から当該テキストデータを本文とした電子メールが管理装置１００に対して送信されてもよい。
【００２３】
体重計２００は、体重を測定し、当該測定値を管理装置１００に対して送信するための機能を有する。また、カメラ３００は、画像を撮影し、当該撮影画像を管理装置１００に対して送信するための機能を有する。これら装置からインターネットを介して管理装置１００に対して情報を送信する方法の一例として、これら装置から送信対象の情報を添付データとした電子メールが管理装置１００に対して送信されてもよい。
【００２４】
表示装置５００は、管理装置１００からたとえばＨＴＭＬ（Hyper Text Markup Language）などで表現された表示データを受け取り、その表示データに基づく表示処理を実行するための機能を有する装置であれば、どのような装置であってもよい。一例として、携帯電話機や一般的なパーソナルコンピュータなどが挙げられる。
【００２５】
図１の例では、体重計２００、カメラ３００、入力装置４００、および表示装置５００がそれぞれ異なる装置であって、つまり別個の装置で構成される例が示されているが、たとえば入力装置４００としてカメラ機能付きの携帯電話機を用いる場合、カメラ３００と入力装置４００とは一体の装置であってもよいし、カメラである入力装置４００の表示部が表示装置５００として用いられてもよい。
【００２６】
また、図１の例では、通信機能を有した体重計２００が管理システム１に含まれるものとしている。しかしながら、体重計２００に替えて、体重の測定値の入力を入力装置４００で受付けて、入力装置４００がその情報を管理装置１００に送信するようにしてもよい。
【００２７】
さらに、図１の例では、管理装置１００が体重計２００、カメラ３００、入力装置４００、および表示装置５００のいずれとも異なる装置である例が示されている。しかしながら、管理装置１００が上のいずれかの装置に含まれてもよい。
【００２８】
＜装置構成＞
図２〜図５は、それぞれ、体重計２００、カメラ３００、入力装置４００、および管理装置１００の装置構成の具体例を示す図である。
【００２９】
図２を参照して、体重計２００は、全体制御を行なうためのＣＰＵ（Central Processing Unit）２０と、ＣＰＵ２０で実行するプログラムや測定値などを記憶するためのメモリ２１と、ユーザの操作入力を受付けるための操作ボタン２２と、体重を測定するための測定部２３と、予め管理装置１００のインターネット上のアクセス先を記憶しており、インターネットを介して管理装置１００と通信を行なうための通信部２４とを含む。
【００３０】
ＣＰＵ２０は操作ボタン２２からの測定開始を指示する操作に基づいた操作信号に応じて測定部２３で体重の測定のための処理を実行させる。測定値はいったんメモリ２１の所定領域に格納される。また、操作ボタン２２からの測定値の送信を指示する操作に基づいた操作信号に応じて、ＣＰＵ２０は、測定値をメモリ２１の上記領域から読み出して、通信部２４に、該測定値を管理装置１００に送信するための処理を実行させる。
【００３１】
図３を参照して、カメラ３００は、全体制御を行なうためのＣＰＵ３０と、ＣＰＵ３０で実行するプログラムや撮影画像などを記憶するためのメモリ３１と、ユーザの操作入力を受付けるための操作ボタン３２と、撮影を行なうための撮影部３３と、予め管理装置１００のインターネット上のアクセス先を記憶しており、インターネットを介して管理装置１００と通信を行なうための通信部３４とを含む。
【００３２】
ＣＰＵ３０は操作ボタン３２からの測定開始を指示する操作に基づいた操作信号に応じて撮影部３３で撮影処理を実行させる。撮影画像はいったんメモリ３１の所定領域に格納される。また、操作ボタン３２からの撮影画像の送信を指示する操作に基づいた操作信号に応じて、ＣＰＵ３０は、撮影画像をメモリ３１の上記領域から読み出して、通信部３４に、該撮影画像を管理装置１００に送信するための処理を実行させる。
【００３３】
図４を参照して、入力装置４００は、全体制御を行なうためのＣＰＵ４０と、ＣＰＵ４０で実行するプログラムや入力情報などを記憶するためのメモリ４１と、アルファベットキーやテンキーなどを含んだ、ユーザの操作入力を受付けるための操作ボタン４２と、予め管理装置１００のインターネット上のアクセス先を記憶しており、インターネットを介して管理装置１００と通信を行なうための通信部４４とを含む。
【００３４】
ＣＰＵ４０は操作ボタン４２からの情報入力のための操作に基づいた操作信号に応じて、当該操作信号を変換して得られる情報を入力情報として特定し、メモリ４１の所定領域に格納する。また、操作ボタン４２からの入力情報の送信を指示する操作に基づいた操作信号に応じて、ＣＰＵ４０は、入力情報をメモリ４１の上記領域から読み出して、通信部４４に、該入力情報を管理装置１００に送信するための処理を実行させる。
【００３５】
図５を参照して、管理装置１００は、全体制御を行なうためのＣＰＵ１０と、ＣＰＵ１０で実行するプログラムなどを記憶するためのメモリ１１と、インターネットを介して他の装置と通信を行なうための通信部１４とを含む。なお、メモリ１１には、後述する第１データベース１１１が記憶されている。
【００３６】
［第１の実施の形態］
＜動作概要＞
第１の実施の形態にかかる管理システム１Ａでの食事情報の管理について説明する。図６は、管理システム１Ａでの食事情報の管理の流れを説明するための図である。
【００３７】
図６を参照して、管理システム１Ａにおいて、ユーザは、体重計２００を用いて朝夕の体重を測定し、その測定値を管理装置１００に対して送信する。すなわち、朝と予め規定されている時間帯（たとえば午前６時〜午前９時等）においてユーザが体重計２００に対して測定を指示することで（ステップＳ１１−１）、体重測定が行なわれ（ステップＳ１１−２）、その結果が測定日時と共に管理装置１００に対して送信される（ステップＳ１１−３）。なお、以降の説明において、上記時間帯に測定された体重を「朝体重」とも称する。
【００３８】
同様に、夕と予め規定されている時間帯（たとえば午後８時〜午後１１時等）においてユーザが体重計２００に対して測定を指示することで（ステップＳ１２−１）、体重測定が行なわれ（ステップＳ１２−２）、その結果が測定日時と共に管理装置１００に対して送信される（ステップＳ１２−３）。なお、以降の説明において、上記時間帯に測定された体重を「夕体重」とも称する。
【００３９】
また、ユーザは、朝夕の体重測定の間の期間で摂取する食事内容をカメラ３００で撮影し、その画像データを管理装置１００に対して送信する。すなわち、朝食と予め規定されている時間帯（たとえば午前６時〜午前１０時等）においてユーザがカメラ３００に対して撮影を指示することで（ステップＳ２１−１）、朝食が撮影され（ステップＳ２１−２）、その撮影画像が撮影日時と共に管理装置１００に対して送信される（ステップＳ２１−３）。同様に、昼食と予め規定されている時間帯（たとえば午前１０時〜午後２時等）、および夕食と予め規定されている時間帯（たとえば午後５時〜午後９時等）においてカメラ３００に対して撮影を指示することで（ステップＳ２２−１，ステップＳ２３−１）、昼食・夕食が撮影され（ステップＳ２２−２，ステップＳ２３−２）、その撮影画像が撮影日時と共に管理装置１００に対して送信される（ステップＳ２２−３，ステップＳ２３−３）。
【００４０】
また、その際に、何かコメントなどがあれば、入力装置４００を用いて入力して、その内容を管理装置１００に対して送信してもよい。
【００４１】
管理装置１００では、体重計２００から測定日時と関連付けて送信された体重の測定値から、測定日ごとの朝の体重と夕の体重との体重差を算出する（ステップＳ３１）。
【００４２】
また、カメラ３００からの撮影画像を、食事情報として、撮影日時と関連付けて記憶する。なお、当該撮影画像に関連付けて入力装置４００から入力されたコメントなどの入力情報がある場合には、その入力情報も食事情報としてメモリ１１の第１データベース１１１に記憶する。第１データベース１１１に記憶する際（または記憶した後）に、管理装置１００は、体重差に基づいて食事情報を「太りやすい食事」と「太りにくい食事」とに分類する。
【００４３】
ユーザは、太りやすい食事、太りにくい食事に分類された食事の内容を知りたいときに、表示装置５００を用いてその情報を表示させるための指示を行なう（ステップＳ４１−１）。具体的な指示の仕方として、たとえば、予め設定されているＷＥＢサイトにアクセスして、要求するための操作を行なう、などが挙げられる。その指示に応じて表示装置５００は管理装置１００に対して表示データを要求する（ステップＳ４１−２）。
【００４４】
当該要求に応じて管理装置１００では「太りやすい食事」に分類された食事情報である撮影画像、「太りにくい食事」に分類された食事情報である撮影画像を予め用意している表示データのフォーマットに組み込むことで、表示データを生成し（ステップＳ３３−１）、その表示データを要求元である表示装置５００に対して送信する。この際、予め食事情報にユーザ情報などが含まれている場合、表示装置５００からの要求に含まれる情報と当該ユーザ情報とを用いてユーザ認証を行ない、認証成功の場合に表示データを送信するようにしてもよい。
【００４５】
表示装置５００では表示データに基づく表示処理が実行されることで、画面表示がなされる（ステップＳ４２）。その画面において、「太りやすい食事」に分類された食事の撮影画像、「太りにくい食事」に分類された食事の撮影画像が表示される。
【００４６】
＜機能構成＞
上記動作を行なうための各装置の機能構成を説明する。
【００４７】
体重計２００、カメラ３００、および入力装置４００は、いずれも、ユーザからの操作入力に応じて情報（測定値、撮影画像、入力情報）を取得する機能、および、その情報を予め記憶している管理装置１００に対して送信するための機能を有する。これらの機能は、各装置に含まれるＣＰＵがメモリに記憶されるプログラムを読み出して実行することで、主に、ＣＰＵで形成される。
【００４８】
また、表示装置５００は、ユーザからの表示操作に応じて予め規定されている要求を管理装置１００に対して送信するための機能、および、その要求に応じて管理装置１００から送信された表示データを受信して当該表示データに基づく画面表示を行なうための処理を実行するための機能を有する。これらの機能は、表示装置５００に含まれる図示しないＣＰＵがメモリに記憶されるプログラムを読み出して実行することで、主に、ＣＰＵで形成される。
【００４９】
図７は、管理システム１Ａに含まれる管理装置１００の機能構成の具体例を示すブロック図である。図７に示される各機能は、ＣＰＵ１０がメモリ１１に記憶されるプログラムを読み出して実行することで、主に、ＣＰＵ１０で形成される。しかしながら、少なくとも一部が電気回路などのハードウェアで構成されてもよい。
【００５０】
図７を参照して、管理装置１００のＣＰＵ１０は、通信部１４を介してカメラ３００から撮影画像の入力を受付けるための画像入力部１０１と、通信部１４を介して入力装置４００からテキスト情報である上記入力情報の入力を受付けるためのテキスト入力部１０２と、撮影画像を撮影日時に関連付けて（また、あれば入力情報とも関連付けて）食事情報としてメモリ１１に記憶される第１データベース１１１に格納するための格納部１０３と、通信部１４を介して体重計２００から測定値の入力を受付けるための測定値入力部１０４と、測定値に関連付けられた測定日時を特定する情報に基づいて測定日ごとに朝体重と夕体重とを特定し、測定日ごとの朝体重と夕体重との体重差を算出するための算出部１０５と、上記体重差に基づいて測定日に対応する撮影日時ごとに食事情報を太りやすい食事か太りにくい食事か分類するための分類部１０６と、通信部１４を介して表示装置５００から表示データの要求を受付けるための要求部１０７と、当該要求に従って第１データベース１１１から食事情報を読み出すための読出部１０８と、食事情報に基づいて表示データを生成するための生成部１０９とを含む。
【００５１】
分類部１０６が第１データベース１１１に格納された食事情報ごとに、当該撮影日に対応した測定日の朝体重と夕体重との体重差に基づいて太りやすい食事か太りにくい食事かを分類し、その分類を特定する情報をさらに食事情報に含めて第１データベース１１１に格納する。また、算出された上記体重差もさらに食事情報に含めて第１データベース１１１に格納する。
【００５２】
分類部１０６での分類方法の一例として、分類部１０６は予めしきい値を記憶しておき、上記体重差としきい値とを比較して、しきい値より大なる場合に太りやすい食事、しきい値より小なる場合に太りにくい食事、と分類する方法が挙げられる。他の例として、予め規定された期間の体重差の平均値を算出し、上記体重差が当該平均値から所定数（たとえば０．２Ｋｇ等）以上大なる場合に太りやすい食事、当該平均値から上記所定数以上小なる場合に太りにくい食事、と分類する方法が挙げられる。
【００５３】
表示装置５００からの要求に応じて読出部１０８は、一例として、当該要求の受信時以前の予め規定された期間（日数）分の食事情報について、太りやすい食事と分類された食事情報および太りにくい食事と分類された食事情報を読み出してもよい。これに基づいて表示データが生成されて画面表示がなされることで、最近の食事の傾向を知ることができる。この表示の例を第１の表示例とする。
【００５４】
読出部１０８での読み出しの他の例として、食事情報に含まれる朝体重と夕体重との体重差を参照して、太りやすい食事と分類された食事情報として体重差の大きいものから順に所定数の食事情報を読み出し、太りにくい食事と分類された食事情報として体重差の小さいものから順に所定数の食事情報を読み出してもよい。これに基づいて表示データが生成されて画面表示がなされることで、太りやすい食事の上位からのランキング、太りにくい食事の上位からのラインキングを知ることができる。なお、読出部１０８は上記要求の受信時以前の予め規定された期間（日数）分の食事情報を読み出し、生成部１０９が上記体重差に応じて食事情報を抽出した上で表示データを生成するようにしてもよい。この表示の例を第１の表示例とする。
【００５５】
＜動作フロー＞
図８は、管理システム１Ａに含まれる管理装置１００での動作の流れの具体例を表わしたフローチャートである。図８のフローチャートに表わされた動作は、ＣＰＵ１０がメモリ１１に記憶されるプログラムを読み出して実行することで実現される。
【００５６】
図８を参照して、ＣＰＵ１０は、通信部１４を介して体重計２００から測定値を受信すると（ステップＳ１０１でＹＥＳ）、ステップＳ１０３で、当該測定値に関連付けられた測定日時の情報から測定日を特定すると共に、予め規定されている時間帯と測定時刻とを比較することで朝体重であるか夕体重であるかを特定し、それらの情報と共に測定値を記憶する。
【００５７】
通信部１４を介してカメラ３００から撮影画像を受信すると（ステップＳ１０５でＹＥＳ）、ステップＳ１０７でＣＰＵ１０は、当該撮影画像に関連付けられた撮影日時の情報から撮影日を特定すると共に、予め規定されている時間帯と撮影時刻とを比較することで朝食であるか昼食であるか夕食であるかを特定し、それらの情報と共に撮影画像を食事情報として記憶する。
【００５８】
ステップＳ１０９でＣＰＵ１０は、測定日ごとの朝体重と夕体重との体重差を算出する。ステップＳ１０９の処理は、上記ステップＳ１０３で、受信した測定値が夕体重と特定されたタイミングで行なわれてもよいし、予め規定された時刻（たとえば午前０時等）に行なわれてもよいし、後述の表示要求を受信したタイミングで行なわれてもよい。
【００５９】
そして、ステップＳ１１１でＣＰＵ１０は、上記ステップＳ１０９で算出された朝夕体重の体重差に基づいて当該測定日に対応した撮影日に関連付けられている食事情報を、太りやすい食事または太りにくい食事に分類する。ＣＰＵ１０は、分類を特定する情報および上記体重差をさらに食事情報に併せて記憶させる。
【００６０】
通信部１４を介して表示装置５００から表示の要求を受信すると（ステップＳ１１３でＹＥＳ）、ステップＳ１１５でＣＰＵ１０は、第１データベース１１１から食事情報を読み出し、ステップＳ１１７で分類に応じた表示データを生成する。ステップＳ１１７では一例として上記第１の表示例や上記第２の表示例として説明されたように表示データを生成する。そして、ステップＳ１１９でＣＰＵ１０は、生成した表示データを表示装置５００に対して送信する。
【００６１】
以上の処理は、管理装置１００において繰り返される。それによって、日々の食事の撮影画像を含む食事情報が、当該日の朝夕体重の体重差に応じて分類され、それに基づいて表示装置５００に表示される。
【００６２】
＜第１の表示例＞
図９は、第１の表示例の、第１の具体例を示す図である。
【００６３】
図９を参照して、第１の表示例の第１の具体例では、日ごとの朝体重と夕体重との測定値と共に、その日の食事情報として撮影日が当該日である食事の画像が表示される。図９の例では１食のみが表示されているが、３食（または間食も含めて４食以上）の画像が１画面あるいはスクロールして他の画面に表示されるようにしてもよい。さらに、その分類結果として、当該食事が太りやすい食事であるか太りにくい食事であるかの別が表示される。図９の例では、太りやすい食事が「×」、太りにくい食事「○」として分類結果が表示される例が示されている。
【００６４】
図１０は、第１の表示例の、第２の具体例を示す図である。図１０の例は、第１の表示例として、表示画面のうちの撮影画像および分類結果の部分のみを表わしたものである。
【００６５】
図１０を参照して、第１の表示例の第２の具体例では、測定日ごとに３食（または間食も含めて４食以上）の画像が１画面に並んで表示され、さらに、その日の朝体重と夕体重との体重差が表示される。また、その分類結果として、当該測定日の３食の食事が、太りやすい食事であるか太りにくい食事であるかの分類結果に対応した枠で囲まれて表示されている。図１０の例では、太りやすい食事の場合には太線（二重線）、太りにくい食事の場合には点線の枠で囲まれて表示される例が示されている。
【００６６】
なお、以上の例では、体重計２００を用いて測定値を管理装置１００に送信し、かつ、カメラ３００を用いて撮影画像を管理装置１００に送信するものとしている。しかしながら、それら装置がない場合も想定される。たとえばカメラ３００がない場合には、該当する食事の情報をたとえばメニューを表わすテキスト情報として入力装置４００を用いて入力し、管理装置１００に送信するようにしてもよい。この場合、図１０に示されたように、撮影画像に替えて入力されたテキスト情報が表示されてもよい。また、体重計２００がない場合には、あるいは当該体重計に通信機能が備えられていない場合には、測定値をテキスト情報として入力装置４００を用いて入力し、管理装置１００に送信するようにしてもよい。
【００６７】
＜第２の表示例＞
図１１は、第２の表示例の具体例を示す図である。
【００６８】
図１１を参照して、第２の表示例では、所定期間の日ごとの朝体重と夕体重との体重差が大きい順および小さい順に当該測定日の食事情報が読み出されて、その順で表示される。図１１の例では、「太りやすいメニューランキング」として体重差の大きい測定日に対応した撮影日の撮影画像が体重差の大きい順に表示され、「太りにくいメニューランキング」として体重差の小さい測定日に対応した撮影日の撮影画像が体重差の小さい順に表示される例が示されている。
【００６９】
＜実施の形態の効果＞
管理システム１Ａで以上の動作が実行されることで、ユーザは、自身の食事において一日の体重差が大きくなった日の食事内容を太りやすい食事として、体重差があまり大きくない日の食事内容を太りにくい食事として把握することができる。また、ユーザは、自身の食事において一日の体重差が大きくなりやすい食事内容と大きくなりにくい食事内容とを把握することができる。さらに、食事内容が撮影画像で表示されることで、同じメニューであっても、実際にどのようにして摂取したか（何かをかけて摂取したか、等）、どれくらいの量を摂取したか、などを一目で把握することができる。そのため、自身の食事管理を容易に行なうことができる。
【００７０】
［第２の実施の形態］
＜動作概要＞
第２の実施の形態にかかる管理システム１Ｂでの食事情報の管理について説明する。図１２は、管理システム１Ｂでの食事情報の管理の流れを説明するための図である。なお、図１２においては、体重計２００での測定動作は図６に示された管理システム１Ａでの動作と同様であるため、その表記が省略されている。
【００７１】
図１２を参照して、図６に示された管理システム１Ａでの管理の流れと比較すると、管理システム１Ｂにおいては、ユーザは、各食の撮影画像を送信すると共に、入力装置４００を用いて当該食事内容についてのキーワードを入力し（ステップＳ５１−１，Ｓ５２−１，Ｓ５３−１）、そのキーワードを管理装置１００に対して送信する。
【００７２】
キーワードとしては、たとえば、当該食事内容に含まれる材料や、メニューのジャンルなどが該当する。また、キーワードは直接操作ボタン４２を構成する文字ボタンで入力されてもよいし、予め用意されている選択肢の中から選択されるものでもよい。
【００７３】
管理装置１００は、食事情報として撮影画像と共にキーワードも記憶する。
さらに、管理装置１００は、表示装置５００からの表示の要求（ステップＳ４１−２）を受付けると、「太りやすい食事」と「太りにくい食事」との分類結果を用いた表示データを生成する際に、「太りやすい食事」と分類された食事情報に代替する食事情報を抽出し（ステップＳ３３−０）、その表示データにおいて、代替メニューとして当該食事情報に含まれる撮影画像を表示させるようにする（ステップＳ３３−１）。
【００７４】
表示装置５００では表示データに基づく表示処理が実行されることで、画面表示がなされる（ステップＳ４２）。その画面において、管理システム１Ａと同様に「太りやすい食事」に分類された食事の撮影画像、「太りにくい食事」に分類された食事の撮影画像が表示されると共に、さらに、「太りやすい食事」に分類された食事に代替する食事として抽出された食事情報に含まれる撮影画像が表示される。
【００７５】
＜機能構成＞
上記動作を行なうための各装置の機能構成を説明する。管理システム１Ｂに含まれる装置のうちの体重計２００、カメラ３００、入力装置４００、および表示装置５００は、管理システム１Ａに含まれる装置と同じ機能構成を有する。
【００７６】
図１３は、管理システム１Ｂに含まれる管理装置１００の機能構成の具体例を示すブロック図である。図１３に示される各機能は、ＣＰＵ１０がメモリ１１に記憶されるプログラムを読み出して実行することで、主に、ＣＰＵ１０で形成される。しかしながら、少なくとも一部が電気回路などのハードウェアで構成されてもよい。
【００７７】
図１３を参照して、管理装置１００のＣＰＵ１０は、図７に示された管理システム１Ａに含まれる管理装置１００の機能構成に加えて、代替する食事情報を抽出するための抽出部１１０をさらに含む。また、メモリ１１には、第１データベース１１１に加えて第２データベース１１２が記憶される。
【００７８】
図１４は、第２データベース１１２に記載される情報の具体例を示す図である。図１４に示されるように、第２データベース１１２には、メニューごとに材料やカテゴリやカロリなどの情報が記載され、メモリ１１に予め記憶されている。
【００７９】
第１の例として、抽出部１１０は、分類部１０６において「太りやすい食事」と分類された食事情報を参照して、当該食事情報に含まれる、当該メニューのカテゴリや材料を現したキーワードを抽出する。抽出部１１０は、そのキーワードを元に第２データベース１１２を参照することで当該メニューのカロリを読み出す。そして、抽出部１１０は、当該メニューのカロリよりも小さいカロリであって、当該メニューとカテゴリが同一である他のメニュー、または材料が重複する他のメニューを代替するメニューとして第２データベース１１２より抽出する。
【００８０】
このように第２データベース１１２を利用して抽出することで、予め規定されているデータベースに基づいて、摂取した食事よりもよりカロリの低いメニューを代替メニューとして抽出することができる。
【００８１】
第２の例として、抽出部１１０は、分類部１０６において「太りやすい食事」と分類された食事情報を参照して、当該食事情報に含まれる、当該メニューのカテゴリや材料を現したキーワードを抽出する。抽出部１１０は、そのキーワードを元に第１データベース１１１を参照することで、当該食事情報に撮影日に対応した測定日における体重差よりも小さい体重差に対応付けられた他の測定日の食事情報のうち、当該メニューとカテゴリが同一である他のメニュー、または材料が重複する他のメニューを代替するメニューとして第１データベース１１１より抽出する。
【００８２】
このように第１データベース１１１を利用して抽出することで、そのユーザにとって「太りやすい食事」とされたメニューよりも太りにくいと分類されたメニューを代替メニューとして抽出することができる。
【００８３】
＜動作フロー＞
図１５は、管理システム１Ｂに含まれる管理装置１００での動作の流れの具体例を表わしたフローチャートである。図１５のフローチャートに表わされた動作もまた、ＣＰＵ１０がメモリ１１に記憶されるプログラムを読み出して実行することで実現される。
【００８４】
管理システム１Ｂに含まれる管理装置１００では、ステップＳ１０１〜Ｓ１１５まで、図８に示された管理システム１Ａに含まれる管理装置１００と同様の動作が行なわれる。
【００８５】
管理システム１Ｂに含まれる管理装置１００では、表示装置５００から表示の要求を受信すると（ステップＳ１１３でＹＥＳ）、ステップＳ１１５でＣＰＵ１０は、第１データベース１１１から食事情報を読み出すと共に、ステップＳ１１６で、上述のような方法で、太りやすい食事と分類された食事情報について代替メニューを抽出する。そしてＣＰＵ１０は、それらの情報に応じて表示データを生成する（ステップＳ１１７’）。以降は、管理システム１Ａに含まれる管理装置１００での動作と同様である。
【００８６】
上記ステップＳ１１７’での表示データの例としては、管理システム１Ａに含まれる管理装置１００での表示データで表わされる画面内容に加えて、代替メニューを表示するものである。その表示の仕方として、図９〜図１１に示されたような画面にさらに代替メニューを含めて表示する方法であってもよいし、図９〜図１１に示されたような画面に代替メニューの表示を指示するためのボタン等をさらに表示し、そのボタンの押下に伴って切り替わる画面に代替メニューを表示する方法であってもよい。
【００８７】
なお、この代替メニューが上述のように第１データベース１１１から抽出されるものである場合には、食事情報に含まれる撮影画像を用いて代替メニューを表示するようにしてもよい。
【００８８】
＜実施の形態の効果＞
管理システム１Ｂで以上の動作が実行されることで、ユーザは、管理システム１Ａと同様に自身の食事において一日の体重差に関連して食事内容を把握できると共に、さらに、太りやすい食事と分類されたメニューについて、よりよいメニューを把握することができる。そのため、自身の食事管理をより容易に行なうことができる。
【００８９】
［第３の実施の形態］
＜動作概要＞
管理システム１Ａ，１Ｂでは、日々の食事情報を日々のユーザの体重変化に基づいて「太りやすい食事」と「太りにくい食事」とに分類し、第１データベース１１１に蓄積している。第３の実施の形態にかかる管理システム１Ｃでは、管理システム１Ａまたは管理システム１Ｂでの食事情報の管理に併せて、体重変化の予測動作およびメニュー提案動作を行なう。
【００９０】
管理システム１Ｃで実行される体重変化の予測動作、および管理システム１Ｃで実行されるメニュー提案動作は、いずれも、管理装置１００において、入力装置４００からの、メニューや材料や食事のカテゴリなどを表わすキーワードの入力と共に、表示装置５００からの表示の要求を受付けることによって実行される。
【００９１】
すなわち、体重変化の予測動作を実行させる際、ユーザは、食事を摂取する前、または撮影画像を送信する際にメニューや材料や食事のカテゴリなどをテキスト情報として入力装置４００を用いて入力し、入力情報として管理装置１００に対して送信する。さらに、表示装置５００から、体重推移の予測の要求を送信する。
【００９２】
管理装置１００は、第１データベース１１１に蓄積されている当該キーワードを含む食事情報を参照して、その食事情報に表わされた日の体重変化を読み出す。そして、その結果を体重の推移の予測値として表示する。表示装置５００にその情報が表示されることで、ユーザは、入力したメニューや材料や食事のカテゴリなどに対応した食事を摂取することでの朝体重からの変化の予測値を知ることができる。
【００９３】
また、メニュー提案動作を実行させる際、ユーザは、食事を摂取する前、または撮影画像を送信する際に材料や食事のカテゴリなどを決定し、その内容をキーワードとして入力装置４００を用いて管理装置１００に対して送信し、さらに、表示装置５００からメニューの提示の要求を送信する。
【００９４】
管理装置１００は、当該キーワードを含む食事情報のうち当該ユーザの上記体重差が太りにくい食事とされる体重差である食事情報を抽出して、提案メニューとして表示する。表示装置５００にその情報が表示されることで、ユーザは、入力した材料や食事のカテゴリなどに合致し、かつ、以前の自身の食事において「太りにくい食事」と分類されたメニューを知ることができる。
【００９５】
＜機能構成＞
上記動作を行なうための管理システム１Ｃに含まれる管理装置１００の機能構成は、図１３に示された、管理システム１Ｂに含まれる管理装置１００の機能構成と同様である。すなわち、メモリ１１に上記第２データベース１１２が記憶され、管理システム１Ａに含まれる管理装置１００に加えて、上記抽出部１１０が含まれる。
【００９６】
第１の例として、抽出部１１０は、入力装置４００からのキーワードを用いて第２データベース１１２を参照して、当該キーワードを含むメニューを抽出する。さらに、抽出部１１０は、当該メニューを用いて第１データベース１１１を参照して、第１データベース１１１に記憶されている当該メニューを含む食事情報を抽出して、その食事情報に含まれている体重差を読み出す。または、抽出部１１０は、当該メニューを用いて第１データベース１１１を参照して、第１データベース１１１に記憶されている当該メニューを含む食事情報のうち、「太りにくい食事」と分類された食事情報を抽出する。
【００９７】
第２の例として、第１データベース１１１に記憶されている食事情報に、入力装置４００から入力された当該食事の材料や食事のカテゴリなどを表わすキーワードが含まれている場合、抽出部１１０は、入力装置４００からのキーワードを用いて第１データベース１１１を参照して、第１データベース１１１に記憶されている当該キーワードを含む食事情報から当該情報に含まれている体重差を読み出す。または、抽出部１１０は、入力装置４００からのキーワードを用いて第１データベース１１１を参照して、第１データベース１１１に記憶されている当該キーワードを含む食事情報のうち、「太りにくい食事」と分類された食事情報を抽出する。
【００９８】
＜動作フロー＞
管理システム１Ｃに含まれる管理装置１００では、前提として、図８や図１５に表わされた動作を行なって、日々の食事内容を表わした撮影画像を含む食事情報を日々のユーザの体重差に基づいて「太りやすい食事」と「太りにくい食事」とに分類した上で、第１データベース１１１に格納する動作を行なっている。
【００９９】
管理システム１Ｃに含まれる管理装置１００では、さらに、体重変化の予測動作およびメニュー提案動作を行なう。
【０１００】
図１６は、管理システム１Ｃに含まれる管理装置１００での体重変化の予測動作の流れの具体例を表わしたフローチャートである。図１６のフローチャートに表わされた動作もまた、ＣＰＵ１０がメモリ１１に記憶されるプログラムを読み出して実行することで実現される。図１６のフローチャートに表わされた体重変化の予測動作は、ＣＰＵ１０が抽出部１１０によって上記第１の例で示された機能を実現する場合の動作の具体例である。
【０１０１】
図１６を参照して、ＣＰＵ１０は、通信部１４を介して入力装置４００からキーワードを受信し、表示装置５００から表示の要求を受信すると（ステップＳ２０１でＹＥＳ）、ステップＳ２０３で当該キーワードを用いて第２データベース１１２を参照し、第２データベース１１２から当該キーワードを含むメニューを抽出する。
【０１０２】
ステップＳ２０５でＣＰＵ１０は、第１データベース１１１を参照して第１データベース１１１からステップＳ２０３で抽出されたメニューを含む食事情報を抽出し、抽出された食事情報から当該情報に含まれる体重差を読み出す。
【０１０３】
ＣＰＵ１０は、上記ステップＳ２０５で抽出された食事情報ごとに含まれる体重差を読み出す。そして、上記ステップＳ２０５で抽出されたすべての食事情報について上記判断を行なうと（ステップＳ２０７でＮＯ）、ステップＳ２０９でＣＰＵ１０は、上記ステップＳ２０５で読み出された体重差に基づいて体重変化の予測値を表示するための表示データを生成し、ステップＳ２１１で表示装置５００に対して送信する。
【０１０４】
上記ステップＳ２０５で複数の食事情報が抽出され、それらに含まれる体重差が異なっている場合、上記ステップＳ２０９でＣＰＵ１０は、たとえばそれら体重差の平均値を算出して該平均値を予測値として特定する、または、体重差のうちの最も大きいものを予測値として特定する、などの動作をさらに行なう。
【０１０５】
図１７は、管理システム１Ｃに含まれる管理装置１００でのメニュー提案動作の流れの具体例を表わしたフローチャートである。図１７のフローチャートに表わされた動作もまた、ＣＰＵ１０がメモリ１１に記憶されるプログラムを読み出して実行することで実現される。図１７のフローチャートに表わされたメニュー提案動作は、ＣＰＵ１０が抽出部１１０によって上記第１の例で示された機能を実現する場合の動作の具体例である。
【０１０６】
図１７を参照して、ＣＰＵ１０は、通信部１４を介して入力装置４００からキーワードを受信し、表示装置５００から表示の要求を受信すると（ステップＳ３０１でＹＥＳ）、ステップＳ３０３で当該キーワードを用いて第２データベース１１２を参照し、第２データベース１１２から当該キーワードを含むメニューを抽出する。
【０１０７】
ステップＳ３０５でＣＰＵ１０は、第１データベース１１１を参照し、第１データベース１１１からステップＳ３０３で抽出されたメニューを含む食事情報を抽出する。該食事情報が上述の動作によって「太りにくい食事」に分類されているものである場合（ステップＳ３０７でＹＥＳ）、ステップＳ３０９でＣＰＵ１０は、当該食事情報に表わされたメニューを提案メニューと特定する。
【０１０８】
ＣＰＵ１０は、上記ステップＳ３０５で抽出された食事情報ごとに、当該食事情報が「太りにくい食事」に分類されているものであるか否かを判断する。そして、上記ステップＳ３０５で抽出されたすべての食事情報について上記判断を行なうと（ステップＳ３１１でＮＯ）、ステップＳ３１３でＣＰＵ１０は、上記ステップＳ３０９で提案メニューと特定された食事情報に基づいて表示データを生成し、ステップＳ３１５で表示装置５００に対して送信する。
【０１０９】
＜実施の形態の効果＞
管理システム１Ｃで以上の動作が実行されることで、ユーザは、入力したメニューや材料や食事のカテゴリなどからその食事を摂取した場合の朝夕体重の変化の推定値を知ることができる。また、入力したメニューや材料や食事のカテゴリなどに合致し、以前の自身の食事において「太りにくい食事」と分類されたメニューを知ることができる。
【０１１０】
特に、これらを食事を摂取する前に知ることで、すなわち、摂取しようとしている食事に関するキーワードを入力することでこれら情報を得ることで、摂取しようとしている食事のメニューを見直すことができる。たとえば、希望する材料や食事のカテゴリなどに基づき、「太りにくい食事」を摂取することが可能となる。そのため、自身の食事管理をより適切に行なうことができる。
【０１１１】
［他の例］
さらに、上述の管理装置１００での動作をコンピュータに実行させるためのプログラムを提供することもできる。このようなプログラムは、コンピュータに付属するフレキシブルディスク、ＣＤ−ＲＯＭ（Compact Disk-Read Only Memory）、ＲＯＭ（Read Only Memory）、ＲＡＭ（Random Access Memory）およびメモリカードなどのコンピュータ読取り可能な記録媒体にて記録させて、プログラム製品として提供することもできる。あるいは、コンピュータに内蔵するハードディスクなどの記録媒体にて記録させて、プログラムを提供することもできる。また、ネットワークを介したダウンロードによって、プログラムを提供することもできる。
【０１１２】
なお、本発明にかかるプログラムは、コンピュータのオペレーティングシステム（ＯＳ）の一部として提供されるプログラムモジュールのうち、必要なモジュールを所定の配列で所定のタイミングで呼出して処理を実行させるものであってもよい。その場合、プログラム自体には上記モジュールが含まれずＯＳと協働して処理が実行される。このようなモジュールを含まないプログラムも、本発明にかかるプログラムに含まれ得る。
【０１１３】
また、本発明にかかるプログラムは他のプログラムの一部に組込まれて提供されるものであってもよい。その場合にも、プログラム自体には上記他のプログラムに含まれるモジュールが含まれず、他のプログラムと協働して処理が実行される。このような他のプログラムに組込まれたプログラムも、本発明にかかるプログラムに含まれ得る。
【０１１４】
提供されるプログラム製品は、ハードディスクなどのプログラム格納部にインストールされて実行される。なお、プログラム製品は、プログラム自体と、プログラムが記録された記録媒体とを含む。
【０１１５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【０１１６】
１，１Ａ，１Ｂ，１Ｃ  管理システム、１０，２０，３０，４０  ＣＰＵ、１１，２１，３１，４１  メモリ、１４，２４，３４，４４  通信部、２２，３２  操作ボタン、２３  測定部、３３  撮影部、４２  操作ボタン、１００  管理装置、１０１  画像入力部、１０２  テキスト入力部、１０３  格納部、１０４  測定値入力部、１０５  算出部、１０６  分類部、１０７  要求部、１０８  読出部、１０９  生成部、１１０  抽出部、１１１  第１データベース、１１２  第２データベース、２００  体重計、３００  カメラ、４００  入力装置、５００  表示装置。
【図１】
2012168857.tif 000003
【図２】
2012168857.tif 000004
【図３】
2012168857.tif 000005
【図４】
2012168857.tif 000006
【図５】
2012168857.tif 000007
【図６】
2012168857.tif 000008
【図７】
2012168857.tif 000009
【図８】
2012168857.tif 000010
【図９】
2012168857.tif 000011
【図１０】
2012168857.tif 000012
【図１１】
2012168857.tif 000013
【図１２】
2012168857.tif 000014
【図１３】
2012168857.tif 000015
【図１４】
2012168857.tif 000016
【図１５】
2012168857.tif 000017
【図１６】
2012168857.tif 000018
【図１７】
2012168857.tif 000019